(57)【要約】【課題】高精度のレーザー光などの光学調整が可能であり、レーザ光を確認するための撮像機などを小型化することができる光学調整装置を提供すること。【解決手段】画像形成装置のレーザスキャニングユニットのコリメータレンズを取付けている円筒４９には、アパーチャ板５１の取付面５３が形成され、該取付面５３に隣接させて、レーザー光の光学調整を行う調整スリット板５６を支持させる段差面５４を形成し、調整スリット板５６を段差面に着脱可能に配設するようにした。【選択図】図７
2009180814.tif 000002
【特許請求の範囲】
【請求項１】
レーザー光を発光する光源と、前記レーザー光を平行光束するコリメータレンズと、該コリメータレンズの下流側に配設され前記レーザー光を反射させる回転多面鏡と、前記コリメータレンズから前記回転多面鏡までの間に配設され前記レーザー光のスポット径を決定するアパーチャとを備えた光走査光学装置において、
前記アパーチャの取付部にレーザー光の光学調整を行う調整スリット部材の支持部を併設するとともに、前記アパーチャと調整スリット部材とがレーザー光の光軸方向に重ね合わせられるように形成し、該支持部から前記調整スリット部材が着脱可能になるように前記支持部を形成したことを特徴とする光走査光学装置。
【請求項２】
前記アパーチャの取付部及び前記調整スリット部材の支持部は、一端に前記コリメータレンズが取付けられた円筒部材の他端側端面に設けられ、
該他端側端面には前記円筒部材の内周から外周に向けて前方側へ突出する段差部を形成し、該段差部の内側には前記アパーチャの取付部を形成し、前記段差部の外側には前記調整スリット部材の支持部を形成したことを特徴とする請求項１に記載の光走査光学装置。
【請求項３】
前記調整スリット部材の支持部には、前記他端側端面の内周から外周に向かう複数の段差部が形成され、各段差部ではスリット幅の異なる複数の調整スリット部材が着脱可能になるように前記各段差部を形成したことを特徴とする請求項２に記載の光走査光学装置。
【請求項４】
前記調整スリット部材によって前記レーザー光を光学調整した後に、前記調整スリット部材を前記支持部から取り外した前記光走査光学装置を内蔵したことを特徴とする請求項１〜３のいずれか１項に記載の画像形成装置。
【請求項５】
レーザー光を平行光束するコリメータレンズの下流側にアパーチャの取付部とレーザー光の光学調整を行う調整スリット部材の支持部を、前記アパーチャと調整スリット部材とが光軸方向に重ね合わせられるように併設し、前記調整スリット部材を前記支持部から着脱可能に配設するようにしたことを特徴とする光学調整装置。
【請求項６】
アパーチャの取付部に併設された支持部に着脱自在に設けられ、レーザー光の光学調整をする調整スリット部材を用いた光軸調整方法において、
半導体レーザーから発光されたレーザー光を、コリメータレンズで平行光束し、平行光束されたレーザー光を前記アパーチャ及び前記調整スリット部材を通過させて、撮像機でレーザー光の光軸を検出し、該レーザー光の光軸をモニタによって観察し、該観察結果によって前記レーザー光又はコリメータレンズの位置を調整するようにしたことを特徴とする光学調整方法。
【発明の詳細な説明】
【技術分野】
【０００１】
本発明は、レーザー光プリンタやレーザーファクシミリ等で使用するレンズユニット及びそのレンズユニットを有する光走査光学装置に用いられる光学調整装置と光学調整方法に関する。
【背景技術】
【０００２】
レーザー光を光源として用いたレーザー光プリンタやレーザーファクシミリ等の走査光学装置が開発されており、複数のレーザー光を用いて複数のラインを同時に書き込むマルチ光型の走査光学装置が開発されている。特に、半導体レーザーは制御が比較的容易であり、小型であるという利点があるため、半導体レーザーを光源として用いた走査光学装置の開発が頻繁に行われている。このような走査光学装置においては、光源であるレーザー光から発生する光束を、ポリゴンミラー等の偏向手段により偏向し、感光体上に走査することにより静電潜像を形成している。
【０００３】
このような走査光学装置においては、コリメータレンズを用いてレーザー光から発せられた光を平行光束し、その後、ポリゴンミラー等の偏向手段に入射させることが一般的に行われている。このように、光源である半導体レーザーから発せられたレーザー光を平行光束するものであるため、当該半導体レーザーとコリメータレンズとの間のレーザー光の照射位置調整を行う必要がある。そのため、一般には、光学箱（筐体）内に設けられ、コリメータレンズにより平行光束されたレーザー光を整形するアパーチャが装着された円筒内にコリメータレンズを保持し、その後、半導体レーザーを上下、左右方向に移動させることにより、レーザー光の光軸位置調整が行われる。
なお、半導体レンズとコリメータレンズの光学調整を行う技術が、下記の特許文献１に記載されている。
【特許文献１】特開平８−８３７５９号公報
【発明の開示】
【発明が解決しようとする課題】
【０００４】
しかしながら、画像形成装置の性能を高解像度化するにしたがって、レーザー光のスポット径を小さくする必要があり、これに伴って、レーザー光のスポット径を決定するアパーチャのスリット径は大きくなる。スリット径が大きくなると、光学調整を行うための受光器である撮像機が大きくなり、スペースの確保が必要となり、またスポット径が大きいとその精度も悪くなる。そのため、アパーチャのスリットの代わりに、スリット径を小さくした調整部材（調整スリット）を別途用いて、半導体レーザーとコリメータレンズとの光学調整を行なう方法が用いられているが、その設置や取り外しに手間がかかる問題点がある。
【０００５】
本発明は、このような事情に鑑みてなされたものであって、高精度の光軸調整などの光学調整が可能であり、光軸を確認するための撮像機などを小型化することができ、光学調整装置と光学調整方法を提供することを目的とする。
【課題を解決するための手段】
【０００６】
本発明の光走査光学装置は上記目的を達成するために、レーザー光を発光する光源と、前記レーザー光を平行光束するコリメータレンズと、該コリメータレンズの下流側に配設され前記レーザー光を反射させる回転多面鏡と、前記コリメータレンズから前記回転多面鏡までの間に配設され前記レーザー光のスポット径を決定するアパーチャとを備えた光走査光学装置において、前記アパーチャの取付部にレーザー光の光学調整を行う調整スリット部材の支持部を併設するとともに、前記アパーチャと調整スリット部材とがレーザー光の光軸方向に重ね合わせられるように形成し、該支持部から前記調整スリット部材が着脱可能になるように前記支持部を形成した。
上記光走査光学装置の前記アパーチャの取付部及び前記調整スリット部材の支持部は、一端に前記コリメータレンズが取付けられた円筒部材の他端側端面に設けられ、該他端側端面には前記円筒部材の内周から外周に向けて前方側へ突出する段差部を形成し、該段差部の内側には前記アパーチャの取付部を形成し、前記段差部の外側には前記調整スリット部材の支持部を形成することができる。
上記光走査光学装置の前記調整スリット部材の支持部には、前記他端側端面の内周から外周に向かう複数の段差部が形成され、各段差部ではスリット幅の異なる複数の調整スリット部材が着脱可能になるように前記各段差部を形成することができる。
本発明の画像形成装置は、前記調整スリット部材によって前記レーザー光を光学調整した後に、前記調整スリット部材を前記支持部から取り外した前記光走査光学装置を内蔵することができる。
本発明の光学調整装置は、レーザー光を平行光束するコリメータレンズの下流側にアパーチャの取付部とレーザー光の光学調整を行う調整スリット部材の支持部を、前記アパーチャと調整スリット部材とが光軸方向に重ね合わせられるように併設し、前記調整スリット部材を前記支持部から着脱可能に配設することができる。
本発明の光学調整方法は、アパーチャの取付部に併設された支持部に着脱自在に設けられ、レーザー光の光学調整をする調整スリット部材を用いた光軸調整方法において、半導体レーザーから発光されたレーザー光を、コリメータレンズで平行光束し、平行光束されたレーザー光を前記アパーチャ及び前記調整スリット部材を通過させて、撮像機でレーザー光の光軸を検出し、該レーザー光の光軸をモニタによって観察し、該観察結果によって前記レーザー光又はコリメータレンズの位置を調整することができる。
【発明の効果】
【０００７】
本発明によると、光学調整装置のアパーチャの取付部にレーザー光の光学調整を行う調整スリット部材の支持部を、前記アパーチャと調整スリット部材とがレーザー光の光軸方向に重ね合わせられるように併設し、該支持部から前記調整スリット部材が着脱可能になるように前記支持部を形成したので、光学調整を行うときはスリット幅の小さな調整スリット部材を用い、実際に光学調整装置を内蔵した画像形成装置などを稼働させる場合は、スリット幅の大きなアパーチャを用いることができ、光学調整は精確に画像形成装置の稼働時には高解像度の画像を得ることができる。
【発明を実施するための最良の形態】
【０００８】
以下、本発明の光学調整装置について、図面を参照しながら説明する。
図１は、本発明に係わる光走査光学装置を内蔵する画像形成装置としてのレーザプリンタ１（以下、単に「プリンタ１」と略称する）を示す。レーザプリンタ１は、ほぼ直方体形状の装置本体であるプリンタ本体２を備えている。プリンタ本体２は図１中の右側を装置の前方（矢印Ｆ参照）とし、プリンタ本体２の上面には、印刷された後の印刷用紙が載置される排紙トレイ４が形成されている。プリンタ本体２の、前面には、手差し用給紙トレイ蓋６が配設され、上端側が前方に開くように構成されている。
【０００９】
プリンタ本体２内のほぼ中央領域には、像担持体である感光体ドラム７が図１において時計方向に回転駆動されるよう配設されている。感光体ドラム７の周囲には、主帯電ローラ８、現像装置９の現像ローラ１３、転写ローラ１０、クリーニングローラ１１及びクリーニングブレード１２、図示しない除電器などが備えられている。感光体ドラム７の感光体としては、ａ−Ｓｉ系又はＯＰＣ等が使用される。図示しない帯電バイアス電源装置により主帯電ローラ８に帯電バイアスが印加されると、感光体ドラム７の表面が一様に帯電させられる。本実施形態においては正極性の帯電バイアスが印加され、感光体ドラム７の表面は一様に正帯電させられる。
プリンタ本体２内の上部位置には、入力された画像情報をレーザー光に変換し、感光体ドラム７の表面に照射するレーザスキャニングユニット（ＬＳＵ）１４が配設されている。
【００１０】
図２に示すように、レーザスキャニングユニット１４は、主として筐体４１、半導体レーザー４２、コリメータレンズユニット４３、シリンドリカルレンズ４４、回転多面鏡４５、結像レンズ４６，４７等を備え、半導体レーザー（図９参照）４２のレーザー光を回転体ドラム７の副走査方向への回転により回転ドラム７上の周面上の結像面である感光体に結像させて静電潜像を形成するものである。
詳しくは、レーザスキャニングユニット１４の筐体４１の側壁には半導体レーザー４２が取付けられている。半導体レーザー４２は、レーザー光を発光するもので、図示しないレーザー駆動回路基板とともに側壁の開口部を介して筐体４１に組み付けられる。
【００１１】
図３及び図４に示すように、コリメータレンズユニット４３は、円筒形状の円筒４９を備え、一端側の内周面にレーザー光を平行光束するコリメータレンズ５０を組付け、他端側にレーザー光を整形するアパーチャ板５１を備えている。そして、コリメータレンズユニット４３は、コリメータレンズ５０を取付けた側を半導体レーザー４２に向け、アパーチャ板５１を取付けた側を、シリンドリカルレンズ４４側に向けている。円筒４９の軸の方向は、レーザー光の光軸と同じ向きになるように配置させている。
【００１２】
図５は、円筒４９の上述したアパーチャ板５１を取り外した状態の該円筒４９の他端側の斜視図、図６は円筒４９の他端側に配設されるアパーチャ板５１とレーザー光の光軸調整時のみに用いられる調整スリット板５６との分解斜視図、図７は図６の円筒４９にアパーチャ板５１を取付けた状態の分解斜視図、図８はさらに調整スリット板５６を取付けた状態の斜視図である。
図５に示す用に円筒４９の他端側の端面５２には、アパーチャ板５１の取付部を設けている。端面５２は、アパーチャ板５１の取付部となるアパーチャ板取付面５３と、その外周囲に位置する段差面５４と、さらに段差面５４の周囲に位置する外側リブ５５とからなる。アパーチャ板取付面５３は、端面５２の内周側に位置する内環状領域５３ａと、この内環状領域５３ａから、端面５２の左右両サイド及び上部に向かって円筒４９の外周部まで延びる位置決め部５３ｂとから形成されている。
【００１３】
アパーチャ板取付面５３には、図６に示すアパーチャ板５１が取付けられる（図７参照）。ほぼ円板形状のアパーチャ板５１の厚さは、アパーチャ板取付面５３と段差面５４との段差にほぼ等しく、その中心部には横方向に長い小判形状の幅広スリット５１ａが形成されている。アパーチャ板５１の円板部分の外周は内環状領域５３ａの外周（段差面５４の内周）とほぼ等しく、外周部には該外周部から横方向へ外側に突出するフランジ部５１ｂが形成されている。フランジ５１ｂは、位置決め部５３ｂに対応する形状に形成され、フランジ５１ｂが位置決め部５３ｂに設置されると、アパーチャ板５１の周方向の回転を規制することができ、また、段差面５４の内周の段差（立ち上がり面）との接触によって、上下、左右方向の移動も規制される。アパーチャ板５１は、アパーチャ板取付面５３に任意（接着剤など）の固定手段によって固定される。
なお、位置決め部５３ｂとフランジ部５１ｂの形状、形成個所及びその数は任意に変更することができる。
【００１４】
調整スリット板５６を一時的に支持することができる調整スリット板支持部５７は、円筒４９の軸方向に向く段差面５４と、外側リブ５５とで形成されている。調整スリット板５６は、端面５２の中間環状領域に間隔を空けて複数個所（本実施形態では８個所）に設けられている。ほぼ円板形状の調整スリット板５６は、その中心部に横方向に長い小判形状の幅狭スリット５６ａが形成されている。この幅狭スリット５６ａは、アパーチャ板５１の幅狭スリット５１ａとよりもスリット幅が小さく形成されている。
調整スリット板５６の円板部分の外周は、端面５１の外環状領域に形成されている外側リブ５５の内周面にほぼ等しく、外周部には該外周部から横方向の一方外側と上方に突出するフランジ部５６ｂが形成されている。フランジ５６ｂは、位置決め部５３ｂのいずれかに対応する形状に形成される。調整スリット板５６は、調整スリット支持部５７に着脱できるように支持され、フランジ５６ｂが位置決め部５３ｂに嵌め込まれるようにして支持される。
【００１５】
図８に示すように、調整スリット板５６を調整スリット支持部５７に支持させて、フランジ５６ｂが位置決め部５３ｂに設置されると、調整スリット板５６の周方向の回転を規制することができ、また、段差面５４の外周に位置する外側リブ５５によって、調整スリット板５６の上下、左右方向の移動も規制される。アパーチャ板４１と調整スリット板５６とが重ねられた状態では、アパーチャ板５１の幅広スリット５１ａの開口は、調整スリット板５６の幅狭スリット５６ａの部分を残して閉塞されている。
調整スリット板５６は、レーザスキャニングユニット１４の製造時には、コリメータレンズユニット４３に取付けられているが、半導体レーザー４２とコリメータレンズ５０の後述する光学調整が行われる際に用いられ、光学調整が終了した後は、コリメータレンズユニット４３から除去される。コリメータレンズユニット４３は、半導体レーザー４２の支持部とは完全に分離して設けられる。
なお、筐体４１は各光学部品を筐体４１に組み付けた後に、図示しない蓋部材によって閉塞される。
【００１６】
図１に戻って、現像装置９は、現像バイアス電源装置により、現像ローラ１３に現像バイアスが印加されると、感光体ドラム７がレーザスキャニングユニット１４によって露光されることにより、感光体ドラム７の表面に形成された静電潜像が現像される。
実施形態においては、帯電バイアスの極性と同じ正極性の現像バイアスが印加され、磁性を有する一成分現像剤であるトナーが、感光体ドラム７の表面に形成された静電潜像に対し反転現像させられるように構成されている。
【００１７】
プリンタ本体２内における上下方向のほぼ中央部には用紙を搬送するための搬送路１５が配設され、下端部には給紙カセット１６が装着されている。搬送路１５は、感光体ドラム７と転写ローラ１０との間を通ってそれらの接線方向にほぼ水平に延在している。搬送路１５の上流端領域は、下方に反転して上記給紙カセット１６に接続されている。搬送路１５における、感光体ドラム７の上流側には、分離ローラ対１８、搬送ローラ対１９及びレジストローラ対２０が搬送路１５に沿ってかつ、上流から下流に向ってその順に配設されている。
給紙カセット１６内には、一端が軸２１まわりに回動自在に支持された用紙載置板である底板２２、底板２２の他端を上方に押し上げる圧縮コイルばね２８などが配設されている。底板２２上に積層・収容された用紙の先端部における上面は、プリンタ本体２内に配設されたピックアップローラ２３に圧接される。
【００１８】
搬送路１５における感光体ドラム７の下流側には、定着装置２４が配設されている。定着装置２４は、熱ローラ２５と、熱ローラ２５に下方から圧接された圧ローラ２６とを備えている。
搬送路１５における定着装置２４の下流側は、プリンタ本体２の後部側で上方に延びる排出搬送路２９に接続されている。この排出搬送路２９は両面印刷用の反転搬送路も兼ね、排出搬送路２９のほぼ中間位置には搬送ローラ対３２が配設され、上端部においてプリンタ本体２の前方側にカーブして用紙の排出口５に接続されている。排出口５には、排出ローラ対３３が配設されている。
【００１９】
次に、図８及び図９を参照して、調整スリット板５６を用いて半導体レーザー４２のレーザー光の光学調整方法の一例について説明する。
半導体レーザー４２とコリメータレンズ５０の筐体４１への組み付けは、回転多面鏡４５とシリンドリカルレンズ４４を筐体４１に組み付ける前の状態で行なわれる。半導体レーザー４２を筐体４１の側壁に形成した貫通孔を介して取付け、側壁面に沿って半導体レーザー４２の光軸調整ができる程度にスライド移動可能に構成されている。
コリメータレンズユニット４３には、調整スリット板５６を円筒４９のアパーチャ板５１の前に重ねて取付けておく。このコリメータレンズユニット４３は、筐体４１の支持台５９に、固定しておく。
筐体４１の側壁には予め、レーザー光通過孔６１ａを形成し、そのレーザー光の延長線上に治具レンズ６２と撮像機６３とを配置しておく。
【００２０】
次いで、半導体レーザー４２からレーザー光を発生させ、該レーザー光をコリメータレンズ５０で平行光束し、調整スリット板５６の幅狭スリット５６ａを通過させることによって、レーザー光を小径に絞り込むことができる。小径ビームとなったレーザー光は、筐体４１に設けられたレーザー光通過孔６１ａ及び治具レンズ６２を経て、撮像機６３で撮像し、図示しないモニタで観察することができる。このように、撮像機６３によって撮像された点像をモニタしながら、半導体レーザー４２をレーザー光の光軸方向に移動させてコリメータレンズ５０に対する焦点合わせを行なう。
【００２１】
半導体レーザー４２の焦点調整が終了した後、半導体レーザー４２を光軸に対して直角方向に移動させてレーザー光を所定の光軸に一致させる光軸合わせを行なう。この際、調整スリット板５６が幅狭スリット５６ａを使用しているので、撮像機６３を小型化することができ、レーザー光の点像も小さく、点像が大きなものと異なってぼやけることもないので、精確な調整をすることができる。光軸調整が終了したならば、半導体レーザー４２を筐体４１に固定し、同時にコリメータレンズユニット４３に組付けられている調整スリット板５６を円筒４９の支持部５７から取り外す。調整スリット板５６は、円筒４９に仮付け状態であるので、容易に取り外しが可能である。
この後、シリンドリカルレンズ４４，回転多面鏡４５などを筐体４１に組み付け、レーザスキャニングユニット１４が完成する。
【００２２】
このようなレーザスキャニングユニット１４が装着されているプリンタ１は、プリンタ１にプリント信号が送信されると、給紙カセット１６からピックアップローラ２３によって用紙が引き出される。そして、用紙は、搬送路１５に搬送され、感光体ドラム７まで搬送される。
一方、レーザスキャニングユニット１４では、半導体レーザーから発生したレーザー光が、コリメータレンズにより平行光束とされる。コリメータレンズにより平行光束とされたレーザー光はアパーチャ板５１の幅広スリットによって絞られ、シリンドリカルレンズにより、回転多面鏡の反射面に線状に集光される。
【００２３】
回転多面鏡４５は、多面体（本実施形態では六角形）のミラーであり、中心軸に取り付けられた回転モータ（図示せず）により一定の角速度で高速回転を行う。シリンドリカルレンズ４４により集光されたレーザー光は、回転多面鏡により角度を変えて、一定角度範囲を放射状に反射され、回転ドラムの軸方向（主走査方向）にレーザー光を走査することが可能となる。
結像レンズ４６，４７は、シリンドリカルレンズ４４と同様に感光体上の点像の歪を防ぐ機能を有するとともに、点像が感光体上で主走査方向に等速度で走査されるように補正する機能を有する。
また、レーザー光が光センサ４８に導入されると、図示しないコントローラにおいて書き込み開始信号に変換されて半導体レーザーの制御部に送信される。制御部は書き込み開始信号を受けてレーザー光の書き込み変調を開始し、感光体ドラム７にトナー像が潜像される。この様に、レーザー光の書き込みタイミングを調節することで、回転体ドラム上の感光体に形成される静電潜像の書き込み開始位置を制御する。
【００２４】
次いで、帯電ローラ８により一様に帯電された感光体ドラム７の表面がレーザスキャニングユニット１４により露光されることにより静電潜像が形成され、このように感光体ドラム７に潜像されたトナー像は、転写ローラ１０によって、給紙カセット１６から所定のタイミングで搬送された用紙の片面に、トナー像として転写される。
トナー像が転写された用紙は、搬送路１５にガイドされて定着装置２４に搬送され、定着装置２４を通過する間に熱定着される。トナー像が定着された用紙は、搬送ローラ対２７、搬送ローラ対３２により、排出搬送路２９を通って排出口５から排紙トレイ４にフェイスダウンの状態で、１枚若しくは連続的に２枚以上が排紙トレイ４上に排出される。
このように、本実施形態によるプリンタでは、スリット幅の小さな調整スリット板５６によって、精確な光学調整が行われたレーザスキャニングユニット１４によって、高解像度の画像を得ることができる。
【００２５】
以上、本発明の実施形態について説明したが、本発明の技術的思想に基づいて、勿論、本発明は種々の変形又は変更が可能である。
例えば、上記実施形態では、コリメータレンズユニット４３の円筒４９に調整スリット板５６をアパーチャ板５１の前面に１枚重ねたが、段差面５４を２以上形成することによって、スリット幅の異なる調整スリットを２枚以上、重ねて配設してもよい。この場合、幅の大きなスリットを有する調整板を前側に配置する。
また、上記実施形態では、プリンタを実施形態として説明したが、コピー、ＦＡＸ、その他複合機などの画像形成装置に適用が可能である。
【図面の簡単な説明】
【００２６】
【図１】本発明の実施形態に係わる画像形成装置（プリンタ）の概略断面図である。
【図２】図１の画像形成装置のレーザスキャニングユニット（ＬＳＵ）の斜視図である。
【図３】図２の１４に配設されているコリメンタルユニットとシリンドリカルレンズの拡大斜視図である。
【図４】図２の１４に配設されているコリメンタルユニットとシリンドリカルレンズの中央を光軸方向に切断した拡大断面図である。
【図５】図２の１４に配設されているコリメンタルユニットの円筒の斜視図である。
【図６】図２の１４に配設されているコリメンタルユニット（調整スリット板は調整後に取り外される）の分解斜視図である。
【図７】図６のコリメンタルユニットの円筒にアパーチャ板が取付けられている状態の斜視図である。
【図８】図７のコリメンタルユニットの円筒にさらに調整スリット板が取り付けられた状態の斜視図である。
【図９】図２の１４における半導体レーザーの光軸を調整している状態の側面図である。
【符号の説明】
【００２７】
１  プリンタ
１４  レーザスキャニングユニット
４２  半導体レーザー
４３  コリメータレンズユニット
４９  円筒
５０  コリメータレンズ
５１  アパーチャ板
５２  端面
５３  アパーチャ板取付面
５４  段差面
５６  調整スリット板
５７  調整スリット板支持部
６１  レーザー光通過孔
６３  撮像機
【図１】
2009180814.tif 000003
【図２】
2009180814.tif 000004
【図３】
2009180814.tif 000005
【図４】
2009180814.tif 000006
【図５】
2009180814.tif 000007
【図６】
2009180814.tif 000008
【図７】
2009180814.tif 000009
【図８】
2009180814.tif 000010
【図９】
2009180814.tif 000011